(57)【特許請求の範囲】
【請求項１】
車両（１）の車室（２）用のコンソール（１０）において、
上記コンソール（１０）は、該コンソール（１０）の上部に設けられた開口部（２４）を通してユーザによってアクセス可能な、コンパートメント（２２）を含み、
上記コンソール（１０）は、上記開口部（２４）の上に、概ね水平な面に沿う使用位置と概ね垂直方向な位置に配置可能な可動の肘掛（５０）を有し、
上記コンソール（１０）は、案内手段（１１、１２、１３）を介して上記車室（２）の中における前方位置と後方位置との間を可動である、車両（１）の車室（２）用のコンソール（１０）であって、
上記肘掛（５０）が、上記コンソール（１０）の取手（２７）に取り付けられ、
上記取手（２７）は、上記案内手段（１１、１２、１３）を介した上記コンソール（１０）の可動操作のために、ユーザによってつかまれるように形成されていることを特徴とする、車両の車室用のコンソール。
【請求項２】
上記取手（２７）の上面（１２７）は、上記使用位置に配置された上記肘掛（５０）の上面（１５０）と概ね同一平面上にあることを特徴とする、請求項１に記載の車両の車室用のコンソール。
【請求項３】
上記取手（２７）に近接する上記コンソール（１０）の上の部分の上面（１２６）の高さは、上記取手（２７）の下に位置することを特徴とする、請求項１または２に記載の車両の車室用のコンソール。
【請求項４】
上記肘掛（５０）の回転軸（７４）は、上記取手（２７）または該取手（２７）の下の把持部を構成するための穴（７２）を通り抜けることを特徴とする、請求項３に記載の車両の車室用のコンソール。
【請求項５】
上記取手（２７）はアーチ状をなしていることを特徴とする、請求項１〜４のいずれか１つに記載の車両の車室用のコンソール。
【請求項６】
上記取手（２７）の把持部の下面または内部に、上記コンソール（１０）の滑動の固定操作装置（７６）のスイッチを有することを特徴とする、請求項１〜５のいずれか１つに記載の車両の車室用のコンソール。
【請求項７】
上記コンソール（１０）は、上記開口部（２４）の幕（３０）を有することを特徴とする、請求項１〜６のいずれか１つに記載の車両の車室用のコンソール。
【請求項８】
上記肘掛（５０）は２つあり、該肘掛（５０）を上記取手（２７）に回動可能に連結する足（１５４）をそれぞれ有し、これらの上記肘掛（５０）によって構成される開口（５４）を有し、該開口（５４）は、上記取手（２７）の下の穴（７２）へのアクセスを可能にすることを特徴とする、請求項１に記載の車両の車室用のコンソール。
【請求項９】
上記肘掛（５０）は２つ並んで設けられ、上記コンソール（１０）の各側に位置するユーザによって使用されるようになっていることを特徴とする、請求項１に記載の車両の車室用のコンソール。
【請求項１０】
請求項１〜９のいずれか１つに記載の車両の車室用のコンソール（１０）を有し、該コンソール（１０）は中央のコンソールであることを特徴とする車両。
【発明の詳細な説明】
【技術分野】
【０００１】
本発明は車両の車室用のコンソール及び車両に関し、特に滑動可能なコンソール及び車両に関する。
【背景技術】
【０００２】
収納用のコンパートメントを有し、案内手段に従って車室内を前部位置と後部位置との間で移動可能なコンソールを車両に提供することが知られている。
【０００３】
このような滑動可能なコンソールが、ＵＳ  ６  ２０３  ０８８に記載されている。このコンソールは、肘掛の役をし、蝶番によって後方へ回動可能に取り付けられた、コンパートメントのふたを有する。このふたは、後部座席のユーザに対しても、前部座席のユーザに対しても、またコンソールの位置が前部位置と後部位置との間のどこにあっても、コンパートメントの内容物への直接のアクセスを妨げ、前部位置と後部位置との間のコンソールの操作を妨げることがあり得る。
【０００４】
滑動可能なコンソールは、ＵＳ  ３  ３２３  ４０９にも記載されており、このコンソールは、それぞれ蝶番によって前方と後方へ回動可能に取り付けられた、前部のふたと後部のふたを有する。これらのふたも、コンパートメントの内容物への直接のアクセスを妨げ、前部位置と後部位置との間のコンソールの操作を妨げることがあり得る。従って、車両の車室用のコンソールに対する、コンパートメントへのアクセスとコンソールの滑動の操作の容易性を改良する、絶えざる要望が存在している。
【特許文献１】ＵＳ  ６  ２０３  ０８８
【特許文献２】ＵＳ  ３  ３２３  ４０９
【発明の開示】
【発明が解決しようとする課題】
【０００５】
本発明の目的は、コンパートメントへのアクセスとコンソールの滑動の操作の容易性を改良することができる、車両の車室用のコンソール及び車両を提供することにある。
【課題を解決するための手段】
【０００６】
上記目的を達成するために、本発明は、車両の車室用のコンソールにおいて、
上記コンソールは、該コンソールの上部に設けられた開口部を通してユーザによってアクセス可能な、コンパートメントを含み、
上記コンソールは、上記開口部の上に、概ね水平な面に沿う使用位置と概ね垂直方向な位置に配置可能な可動の肘掛を有し、
上記コンソールは、案内手段を介して上記車室の中における前方位置と後方位置との間を可動である、車両の車室用のコンソールであって、
上記肘掛が、上記コンソールの取手に取り付けられ、
上記取手は、上記案内手段を介した上記コンソールの可動操作のために、ユーザによってつかまれるように形成されていることを特徴とする。
【０００７】
また、上記取手の上面は、上記使用位置に配置された上記肘掛の上面と概ね同一平面上にあることを特徴とする。
【０００８】
また、上記取手に近接する上記コンソールの上の部分の上面の高さは、上記取手の下に位置することを特徴とする。
【０００９】
また、上記肘掛の回転軸は、上記取手または該取手の下の把持部を構成するための穴を通り抜けることを特徴とする。
【００１０】
また、上記取手はアーチ状をなしていることを特徴とする。
【００１１】
また、上記取手の把持部の下面または内部に、上記コンソールの滑動の固定操作装置のスイッチを有することを特徴とする。
【００１２】
また、上記コンソールは、上記開口部の幕を有することを特徴とする。
【００１３】
また、上記肘掛は２つあり、該肘掛を上記取手に回動可能に連結する足をそれぞれ有し、これらの上記肘掛によって構成される開口を有し、該開口は、上記取手の下の穴へのアクセスを可能にすることを特徴とする。
【００１４】
また、上記肘掛は２つ並んで設けられ、上記コンソールの各側に位置するユーザによって使用されるようになっていることを特徴とする。
【００１５】
さらに、本発明の車両は、上記いずれかの車両の車室用のコンソールを有し、上記コンソールは中央のコンソールであることを特徴とする。
【発明を実施するための最良の形態】
【００１６】
本発明を、非限定的な実施例によって、添付図面を参照して説明する。これらの図において：
図１は、車両の車室内に設置された本発明によるコンソールの２次元の概略図であり、
図２は、車両の車室内に設置された本発明によるコンソールの３次元の概略図であり、
図３は、本発明によるコンソールの分解組立図であり、
図４は、装着された肘掛の後面図であり、
図５は、装着された肘掛の一変形の後面図である。
【００１７】
本発明によれば、これらの図に示すように、車両１は、ダッシュボード７の後方に、滑動可能なコンソール１０が設けられた車室２を有する。車室２は、例えば、第１列上の２つの前部座席３と第２列上の２つの後部座席５を有する。第２列は、ベンチシートであることもある。
【００１８】
コンソール１０は、図１に実線で示すような前部位置と、図１に２点鎖線で示すような、後部座席５に近い後部位置との間に、案内手段に従って滑動可能に装着される。コンソール１０の案内手段は、車両１に対する移動手段と、車両１に対する固定手段を有する。案内手段は、ここでは前から後への直線的な軌跡である、コンソール１０の車室２における所定の軌跡を定める。
【００１９】
コンソール１０の案内手段は、コンソール１０の内部にあって、コンソール１０の本体に連結され、車両１の床に対して固定されたキャリッジ１２上を、小車輪１３を介して滑動可能に装着された、可動なレール１１からなる。小車輪１３は、キャリッジ１２に設けられる。コンソール１０の並進移動の案内手段の一実施例が、特許出願ＥＰ  １  １７９  ４４９に詳細に記載されている。図示しない一変形においては、レールが床に対して固定され、小車輪を有するキャリッジが、レール上を移動するコンソールの中に一体化されている。
【００２０】
本発明によるコンソール１０は、レール１１のキャリッジ１２に対する電気的な固定メカニズム（図示しない）も有する。該固定メカニズムは、コンソール１０の滑動を可能にするためにユーザによって操作されるスイッチのような固定解除操作装置を有する。
【００２１】
図示した例においては、コンソール１０は、車両１の床に対して概ね垂直な縦方向の両側面２１と、車両１の床に近い、該床に対して下部が概ね垂直な横方向の前面２８と、下から上へ、後方へ向けて傾斜した横方向の後面２３と、側面２１と横方向の前面２８の上部に接続された上面２６を有する。コンソール１０の本体２０は、コンソール１０の長さの、後方へ向かって２／３に位置する、垂直な内壁２５（図３）を有する。
【００２２】
上面２６の母線は、曲率半径が増大する曲線状の準線に沿って、前面２８から出て内壁２５へ向かう。上面２６は、内壁２５の直ぐ近くで、例えば後面２３へ向けて下方へ数度傾斜した、概ね水平な面に接する。上面２６の、横方向の前面２８と接続される部分は、概ね垂直である。図示した例においては、上面２６は、コンソール１０の半分の長さの部分に頂上を有する。また、図示した例においては、上面２６の前方の部分は、前面２８に接続される母線とコンソール１０の概ね前の１／３の母線との間に含まれる上面２６の部分である。概して、コンソール１０の前方の部分は、この前方の部分の面に設けられた、前方からのアクセス用の穴、つまり、開口部２４が、前方へ向かって傾斜した、コンソール１０の前方の部分である。前方の部分の面に穴（開口部２４）を設けることによって、ユーザは、例えば、前方正面に対して前から後へ向けて、垂直方向に対して１５度〜９０度傾斜した方向に沿った、この部分の開口部２４に直交してこの開口部２４の中に手を通して、コンパートメント２２の内容物にアクセスすることができる。
【００２３】
コンソール１０の本体２０の中に、整理用の前のコンパートメント２２が設けられている。図には示さない内部容器が、両側面２１と横方向の前面２８と垂直な内壁２５との間の、コンパートメント２２の境界を限定するために、本体２０の中に装着される。本体２０の前面２８の上部は、コンパートメント２２への上からのアクセスのための開口部２４を設けるために、切り抜かれている。
【００２４】
従って、開口部２４は、内壁２５の上端部の水平な後部部分２４Ａと、後部部分２４Ａの各端部に接合された、前方へ向かう、上部の曲線部分２４Ｂと、前部における、下方へ曲げられ、各端部が曲線部分２４Ｂに接合された前部部分２４Ｃを有する穴によって境界を限定されている。横方向の前面２８の外表面と開口部２４の前部部分２４Ｃとの間の、横方向の前面２８の部分の上に、概ね水平方向の前の縁３８が形成されている。同じく、上面２６の外表面と開口部２４の曲線部分２４Ｂとの間の、上面２６の部分の上に、垂直な縁が形成されている。
【００２５】
コンソール１０は、上面２６の上に設けられたアーチ状の取手２７を有する。取手２７は、上面２６に対して突出して、すなわち、取手２７に近接した上面２６の高さよりも上にあって、内壁２５の後に設けられている。
【００２６】
開口部２４は、特にこの場合には幕３０（図３）である、コンパートメント２２の閉鎖部材を有する。幕３０は、案内用の縦方向の滑り溝３２の間に滑動可能に取り付けられる。
【００２７】
図示された例において、幕３０の曲線状の少なくとも１部分は、開口部２４の曲線部分２４Ｂと合致しており、開口部２４の少なくとも１部分は、滑り溝３２の曲線部分の間に範囲を限定されている。幕３０は、滑り溝３２の曲線部分に沿うように設けられる。滑り溝３２の曲線部分の間に範囲を限定された開口部２４の部分は、前方からのコンパートメント２２への容易なアクセスを可能にするための、コンソール１０の前方の部分を下に向けて延びる部分を有する。
【００２８】
幕３０は、アクセス位置と閉鎖位置との間で可動になっている。幕３０は、コンソール１０の後から前へ開かれる。この開閉の、ユーザによる手動操作のために、ハンドル４０が設けられている。ハンドル４０は幕３０の薄片と一体化され、幕３０の薄片を連結し、連続した薄板を形成する柔軟な上層の上に突出している。幕３０は、他の柔軟な層によって互いに連結される薄片から構成することができる。幕３０は、適当な剛性の連続した１枚の薄板のみから形成してもよい。
【００２９】
各案内用の滑り溝３２は、概ね開口部２４と合致する上部３４（図３に、矢印３５によって具体的に示されている。）と、開口部２４の下端部の下、すなわち縁３８の下に位置する下部３６（図３に、矢印３７によって具体的に示されている。）を有する。
【００３０】
コンパートメント２２へユーザがアクセスする場合のアクセス位置においては、幕３０はコンソール１０の中に隠され（図２）、開口部２４は完全に開かれる。このとき、幕３０は滑り溝３２の下部３６の中に配置（収納）され、ハンドル４０は縁３８に支持される。
【００３１】
幕３０の閉鎖位置においては、幕３０は開口部２４に合致して連続して展張される。幕３０は、滑り溝３２の上部３４の中に配置される。
【００３２】
コンソール１０は、上面の上に設けられ、一体化された肘掛５０を有する。肘掛５０は、幕３０の上の概ね水平な面に沿う、第１の使用位置に配置することができ、肘掛５０は、少なくとも部分的に幕３０に重ね合わされる。肘掛５０は、幕３０を開放する少なくとも他の１つの位置に配置することができる。肘掛５０は、図に示されているような、前方の水平な第１の使用位置から、垂直位置（図示しない）へ、または後方の水平位置（図示しない）へ、回動して移動可能になっている。肘掛５０は、コンソール１０の上面の少なくとも１部分に対応して配置され、コンソール１０の前の部分の高さに位置する開口部２４の部分からのコンパートメント２２へのアクセスを妨げない。
【００３３】
図示された例において、肘掛５０は、肘掛５０を、コンソール１０の各側に位置するユーザによって使用可能になっている部分５０Ａ、５０Ｂに分割する、縦方向の境界１５６を有する。肘掛５０の各部分は、一方の部分５０Ａが他の部分５０Ｂと独立に回動可能なアームである。図示された例において、肘掛５０は、肘掛５０が取り付けられる取手２７に近接して、開口部２４へアクセスするための中央のＶ字型の開口５４を有する。
【００３４】
開口５４は、開口部２４へのアクセスを可能にする。開口５４は、少なくとも、肘掛５０の各アームの本体１５２と、肘掛５０をコンソール１０に回動可能に接合するための足１５４によって構成されている。この本体１５２は、足１５４の前方に位置し、足１５４よりも幅、面積が大である。
【００３５】
アーチ状の取手２７は、肘掛５０の取り付けの役割を有する支持部７０と、穴７２を有する。この取手２７は、ユーザが穴７２に手を通して掴んで、上記案内手段に沿ってコンソール１０を操作するために設けられている。Ｖ字型の開口５４が取手２７の把持部へのアクセスを容易にすることができる。
【００３６】
図４に示す例においては、取手２７の把持部（手でつかむ部分）は、肘掛５０の軸７４に沿って設けられている。取手２７の把持部は、該取手２７に近接する、コンソール１０の本体２０の上面１２６と肘掛５０の軸７４との間に位置し、取手２７に近接する開口部２４の高さの上に配置されている。肘掛５０の回転軸は、取手２７を貫通する。
【００３７】
肘掛５０が、開口部２４の上の概ね水平な面に沿った使用位置に配置されているときには、取手２７の上面１２７は、肘掛５０の上面と、概ね同一平面に位置する。取手２７に近接するコンソール１０の本体２０の上面１２６の高さは、取手２７の下に位置する。取手２７は、肘掛５０から突出していないので、ユーザが肘を取手２７にぶつける危険がないことは人間工学上有利である。取手２７を、水平位置における肘掛５０の上面の高さよりも引っ込める、すなわち、下げることも可能である。
【００３８】
図５に示す例においては、肘掛５０の各アーム５２A、５２Bの軸７４は、取手２７の把持部を構成する穴７２の各側の、支持部７０の側部に設けられている。従って、肘掛５０の回転軸は、穴７２を通り抜ける。
【００３９】
図４、５に示すように、コンソール１０の滑動の固定操作装置を形成するスイッチ７６が、穴７２内の、取手２７の下面または内部に設置されている。
【００４０】
取手２７を構成する支持部７０の上に肘掛５０を取り付けることは、コンソール１０の人間工学上望ましい。実際、肘掛５０がどの位置にあっても、ユーザは、前からであれ後からであれ、あるいは上からであれ下からであれ、取手２７にアクセスして、コンソール１０を滑動させるためにスイッチ７６を操作することができる。Ｖ字型の開口５４が存在することによって、幾つかの操作が容易になる。これらの操作は、示された例において、取手２７は、コンソール１０の長さの後ろから概ね１／３に位置しており、コンソール１０の端部には位置していないので、ユーザが座席の第１列に着座していても第２列に着座していても容易である。
【００４１】
示された例において、コンパートメント２２は、コンソール１０の前部に位置し、開口部２４が通じているコンソール１０の正面の部分は、コンソール１０の前部を横切っている。このコンソール１０は、後のコンパートメント６０を有する。後のコンパートメント６０は、特有の閉鎖装置、すなわち、ふた６２（図１参照）を有する。ふた６２は、コンソール１０の本体２０の上面１２６から突出した取手２７に近接して位置する軸の周りに回動可能に取り付けられている。後のコンパートメント６０は、後のユーザ専用である。
【００４２】
コンソール１０の上に配置された肘掛５０の位置がどこにあっても、本発明によるコンソール１０がコンパートメント２２の内容物へのアクセスを可能にすることは便利である。さらに、コンパートメント２２の内容物へのアクセスを可能にしながらも、コンソール１０の操作は、コンソール１０の位置がどこにあっても、前席のユーザにとっても後席のユーザにとっても容易である。
【００４３】
本発明によるコンソール１０のユーザが、コンソール１０の正面の部分から、開口部２４の中へ下に向けて手を通して、コンソール１０の内容物にアクセスすることができることは便利である。コンソール１０が後部位置に位置しているときに、コンパートメント２２の品物をつかむことを望む前席のユーザについては、ユーザの腕は後方へ向けられる。
【００４４】
ユーザが、一動作でコンパートメント２２への全てのアクセスを開放し、開口部２４のどこへでも手を通してコンパートメント２２の内容物にアクセスできることは便利である。同様に、ユーザは、幕３０を閉じるという一動作で、コンパートメント２２の内容物へ完全にアクセスできなくすることができる。勿論、ユーザは、幕３０を様々な中間位置に位置させて、開口部２４を部分的に閉じることもできる。
【００４５】
肘掛５０が前方の水平位置にあっても、ユーザは、開口５４を通じてハンドル４０にアクセスして、幕３０を部分的に開くことができる。ユーザは、幕３０に手を平らに当てて軽く押し付けながら、ハンドル４０を使用しないで幕３０を滑動させることができる。肘掛５０を前方の水平位置にして、肘掛５０の開口５４を通して、コンパートメント２２の中に置かれ、保持された長い品物を、取手２７で支持して、垂直または斜めに保持することができることは便利である。また、肘掛５０の縦方向の境界１５６は、肘掛５０の２つの部分の間に、品物の厚さが境１５６の幅よりも大きくなければ、品物を垂直に保持することを可能にする。
【図１】
0004547375.tif 000002
【図２】
0004547375.tif 000003
【図３】
0004547375.tif 000004
【図４】
0004547375.tif 000005
【図５】
0004547375.tif 000006